(57)【特許請求の範囲】
【請求項１】
油や水等の液体を貯留する貯留液槽の開口部に設けられ、該貯留液槽の転倒時に該液体が該貯留液槽内に残留するようにした密閉箱からなる貯留液体の漏洩防止装置であって、
前記密閉箱は、一方が前記密閉箱の上面から突出し他方が該密閉箱内で開口する接続口を有して密閉箱の内部に接続される接続パイプと、一方が前記密閉箱内で開口する供給口を有して密閉箱の内部に接続され他方が前記密閉箱の下面から前記貯留液槽側に突出する供給パイプと、前記密閉箱内の前記接続口と前記供給口とに接して両者を区画するとともに前記密閉箱の壁面に達して設けられる仕切り壁とを有し、前記接続口と前記供給口の間で前記液体を少なくとも１８０度以上迂回させることを特徴とする貯留液体の漏洩防止装置。
【請求項２】
前記密閉箱は、更に、前記仕切り壁を挟んで前記接続口と前記供給口とのそれぞれから前記仕切り壁に向き合う形で延長され前記密閉箱の壁面に達しない位置までに延伸して設けられる壁を有することを特徴とする請求項１に記載の貯留液体の漏洩防止装置。
【発明の詳細な説明】
【０００１】
【発明の属する技術分野】
本発明は、貯留液槽の開口部に装着して、該貯留液槽が転倒しても内部の液体が漏洩しないようにし、また、液体の供給パイプあるいは排出パイプ側が外れ、負圧が貯留液槽に加わっても内部の液体が吸引されることのない貯留液体の漏洩防止装置に関する。
【０００２】
【従来の技術】
従来における飲料水等を貯留する水槽は、例えば、マンションやオフィスビル等の高置水槽は、水道管の元栓からの供給パイプと各個へ水を供給する流出パイプとが接続されているものであった。
【０００３】
【発明が解決しようとする課題】
そのため、台所を使用中に地震等に驚いて蛇口を止めず避難した場合、高置水槽の水は空になってしまう。また、地震等で水槽が転倒した場合、液体の供給パイプあるいは流出パイプが外れると、内部の液体が漏洩してしまった。そのため、設置型の水槽等は構造的に十分な震度でも耐えうるように設計されているが、そのためには、相当な費用がかかった。
【０００４】
また、一般家庭において、地震対策で水の保留を行っているが、水の流通が行われないと保管がきかず、現実には大震災が発生した場合には、水の震災地への供給が問題となった。
【０００５】
さらに、自動車等が転倒すると、ガソリンタンク内のガソリンが流出して、後続車がガソリンによってスリップして追突事故を起こしたり、火災になるなど大惨事にもつながる等、液体の漏洩を防止する何らかの対策が望まれていた。
【０００６】
本発明は前記した問題点を解決せんとするもので、その目的とするところは、貯留液槽が転倒しても内部の液体が漏洩することがないと共に、貯留液槽に対して内部の液体を吸引する吸引力が生じても内部の液体が吸引されて漏洩することのない貯留液体の漏洩防止装置を提供せんとするにある。
【０００７】
【課題を解決する手段】
本発明の貯留液体の漏洩防止装置は前記した目的を達成せんとするもので、その手段は、油や水等の液体を貯留する貯留液槽の開口部に設けられ、該貯留液槽の転倒時に該液体が該貯留液槽内に残留するようにした密閉箱からなる貯留液体の漏洩防止装置であって、前記密閉箱は、一方が前記密閉箱の上面から突出し他方が該密閉箱内で開口する接続口を有して密閉箱の内部に接続される接続パイプと、一方が前記密閉箱内で開口する供給口を有して密閉箱の内部に接続され他方が前記密閉箱の下面から前記貯留液槽側に突出する供給パイプと、前記密閉箱内の前記接続口と前記供給口とに接して両者を区画するとともに前記密閉箱の壁面に達して設けられる仕切り壁とを有し、前記接続口と前記供給口の間で前記液体を少なくとも１８０度以上迂回させることを特徴とする。
【０００８】
前記密閉箱は、更に、前記仕切り壁を挟んで前記接続口と前記供給口とのそれぞれから前記仕切り壁に向き合う形で延長され前記密閉箱の壁面に達しない位置までに延伸して設けられる壁を有することが望ましい。
【００１０】
【発明の実施の形態】
次に、本発明の原理的な第１の実施の形態を図１、図２と共に説明する。１は密閉箱にして、一方が密閉箱１の上面から突出し他方が接続口２ａを有して密閉箱１の内部に接続される接続パイプ２と、一方が供給口３aを有して密閉箱１の内部に接続され他方が貯留液槽（図示せず）側に突出する（密閉箱１の下面から突出する）供給パイプ３とが隣接して配置されている。そして、接続パイプ２と供給パイプ３との接続部分と前記密閉箱１との間に仕切り壁４が形成されている。
【００１１】
前記接続パイプ２と供給パイプ３には前記仕切り壁４と接して接続口２ａと供給口３ａとが形成されている。また、この接続口２ａと供給口３ａの前記仕切り壁４とは接しない部分からは、仕切り壁４と平行で、かつ、前記密閉箱１の壁面まで達しない迂回壁５，６が形成されている。
【００１２】
このように構成した貯留液体の漏洩防止装置は供給パイプ３から供給される液体は、矢印の如く３６０度以上の流通路を迂回して流れる。すなわち、接続パイプ２から供給される液体は接続口２ａから迂回壁５と仕切り壁４との隙間を介して迂回壁５と密閉箱１の壁との間を通過し、さらに、接続パイプ２と供給パイプ３との後ろ側を通って迂回壁６と密閉箱１の壁との間を通過し、迂回壁６と仕切り壁４との隙間から供給口３ａを介して供給パイプ３に流れ貯留液槽に供給されるものである。
【００１３】
次に、貯留液槽が転倒しても、該貯留液槽内の流体が漏洩しない理由を図３〜図７と共に説明する。
貯留液槽が転倒した場合、その転倒の状態によって、該貯留液槽に取付けられた漏洩防止装置は図３〜図７のような転倒状態となる。そして、何れの場合にあっても、供給パイプ３と接続パイプ２との間は内部の液体によって空気の流通が遮断されるので、大気圧が貯留液槽内の液面と前記漏洩防止装置内の液面に対して同じく働くことから、液体の漏洩は防止されるものである。
【００１４】
次に、図８，図９の他の実施の形態について説明する。
この実施の形態は貯留液槽としてコップ７を用い、このコップ７の開口部に密閉して嵌合される密閉蓋８に螺旋状の吸い口管９を一体的に形成したものである。すなわち、吸い口管９の供給パイプ９ａはコップ７内に垂下し、口に加える側の接続パイプ９ｂは３６０度旋回した流通路９ｃを介して、前記供給パイプ９ａに接続されている。
【００１５】
この場合にあっても、コップ７が転倒しても、流通路９ｃ内に液体が滞留することになるので、供給パイプ９ａと接続パイプ９ｂとの間の液体によって空気の流通が遮断され、従って、前記した実施の形態と同様に液洩れを防止することができる。
【００１６】
この実施の形態にあっては、接続管９ｂによって吸い続けると、コップ７内の空気がなくなるため連続して一気に内部の流体を飲むことができない。そこで、空気孔を設ければコップ７内に空気が供給されて前記した問題は解消するが、しかし、コップ７が転倒した時に、この空気孔から内部の液体が洩れないようにする必要がある。そこで、この空気孔からも液洩れが生じないようにした実施の形態を図１０、図１１と共に説明する。
【００１７】
カップ７の開口部に密閉状態で被せる大きさの円板部９ｄを２つの部屋に区切る区画壁９ｅを形成し、該区画壁９ｅによって仕切られた一方の部屋に液体を吸引する接続パイプ９ｆと、コップ７内に垂下する供給パイプ９ｇとを接続し、さらに、前記接続パイプ９ｆと供給パイプ９ｇとを仕切る仕切り壁９ｈを形成し、また、他方の部屋に空気を供給するための小孔９ｉ，９ｊとを形成すると共に、該小孔９ｉ，９ｊとを仕切る仕切り壁９ｋを形成したものである。
【００１８】
このように構成した液体封鎖装置は、接続パイプ９ｆから吸引すると、供給パイプ９ｇから液体が吸引され図１０に示す矢印ａの流れに従って接続パイプ９ｆから飲むことができる。そして、内部の液体が吸引され、コップ７が負圧になると小孔９ｉから外気が矢印ｂのように小孔９ｊに流れコップ７内に外気が侵入する。従って、コップ７内は常に大気圧となって液体の吸引が行える。そして、コップ７が転倒した場合には、常に、液体が前記矢印の経路内に残留するので、接続パイプ９ｆおよび小孔９ｉから洩れ出ることはない。
【００１９】
ところで、前記した本発明の貯留液体の漏洩防止装置にあっては、貯留液槽が転倒しただけの場合には、液洩れを防止することができるが、しかし、供給パイプ側に吸引力が作用した場合には、流通路内の液体が吸引されて供給パイプと接続パイプの間に空気が流れ、従って、貯留液槽内の液体が吸引され漏洩することとなる。
【００２０】
そこで、供給パイプ側に吸引力が作用した場合、弁によって流通路を遮断し空気流の発生を防止する液体貯留確保装置と、前記漏洩防止装置とを一体化した他の実施の形態について図１２、図１３と共に説明する。なお、液体貯留確保装置と一体化する漏洩防止装置は、前記した漏洩防止装置を図１２の如く２個併設したものを使用し、同一部分は符号にダッシュを付してある。
【００２１】
図示しない貯留液槽（例えば、ポリタンク）の上部に、該貯留液槽よりの液体が流入する貯留水槽密閉室（以下、単に第１室１１という）と、貯留液槽への液体が流入する内空洞の第２室２１とから形成されている。
そして、第１室１１における上面の開口には供給パイプ３が、また、第２室２１における上面の開口には接続パイプ２′が接続されている。さらに、第１室１１における下面には貯留液槽と接続する流入パイプ１１ａが、また、第２室２１における下面には貯留液槽と接続する流出パイプ２１ａが接続されている。
【００２２】
なお、漏洩防止装置における供給パイプ３′は水道等の元栓が、また、接続パイプ２は水道等の蛇口が接続されている。前記第１室１１内には、流入パイプ１１ａに連通すると共に側面が開口し、開閉バルブを構成する副バルブ１２を押し上げるための流入室１１ｂが形成され、該流入室１１ｂの上方には遮断壁１１ｃを介して供給パイプ３に連通している流出室１１ｄが形成されている。
【００２３】
前記遮断壁１１ｃの上部には開閉バルブを構成する円柱形、あるいは、球体の主バルブ１３を収容する主バルブ室１１ｅが形成されていて、主バルブ１３は平常では自重で遮断壁１１ｃに接触し、流出室１１ｄと流入室１１ｂ間を遮断している。
【００２４】
しかし、流入室１１ｂに水が流入すると、その水勢で副バルブ１２が押し上げられ、その先端で主バルブ１３も押し上げるので、流入室１１ｂと流出室１１ｄ間に水が流れ、かつ、その時の水勢によって主バルブ１３は押し上げられて主バルブ１３は遮断壁１１ｃより大きく離れ、従って、バルブは開放された状態となり、流入室１１ｂから流出室１１ｄに勢いよく水は流れ込む。
【００２５】
そして、主バルブ室１１ｅを構成する開口部と主バルブ１３との間は、主バルブ１３が遮断壁１１ｃに接触している時には、主バルブ１３と前記開口部とは接触状態にあり、主バルブ室１１ｅ内に水が流れ込まないようになっている。
【００２６】
この主バルブ室１１ｅ内に浸入した水は、前記主バルブ１３の押し上げ時において、主バルブ１３と遮断壁１１ｃ間に生じる隙間を通る水の流速の増大に起因する負圧によって、隙間１１ｆ、側室１１ｇ、隙間１１ｈを通って吸引されるので、主バルブ１３の上昇の負荷になることがないと共に、主バルブ室１１ｅ内の水は循環するので、主バルブ室１１ｅ内に貯留された水が腐敗することはない。
【００２７】
この実施の形態における貯留閉鎖装置は、流出室１１ｄに接続されている蛇口を開くと流出室１１ｄ内が負圧になり、貯留液槽内の水が流入室１１ｂに流入し、その勢いで副バルブ１２が押し上げられる。
【００２８】
すると、この押し上げられた副バルブ１２の先端が主バルブ１３を押し上げるために、主バルブ１３と遮断壁１１ｃ間の遮断が開放され、貯留液槽の水は第１室１１の流入室１１ｂ、流出室１１ｄを通って蛇口に供給される。一方、水道の元栓側に接続されている供給パイプ３′より貯留液槽内に、水道の元栓を介して水が第２室２１を通って補給される。
【００２９】
このようにして、この実施の形態の給水路の水貯留装置は蛇口からの給水につれ、貯留液槽内に新規に水道水が補給されるので、常に新鮮な状態に保たれる。
【００３０】
また、地震等の災害が発生し水道の元栓側からの水の供給が行われない場合、あるいは、元栓側が開放された場合には、流入室１１ｄ内に水の流れが生じないので、主バルブ１３の押し上げが行われず、該主バルブ１３が遮断壁１１ｃと接した状態を保持し、従って、貯留液槽内の水が排水されることはない。
【００３１】
さらに、元栓側に負圧が生じた場合であっても、主バルブ１３は遮断壁１１ｃから離れないため、水の流通が行われず、水の流出が防止され貯留液槽内は満水状態が保たれ、このような災害時においても貯留液槽内の非常用水を確保できる。なお、貯留液槽が傾いた場合でも、主バルブ１３が遮断壁１１ｃと接触する範囲内の傾きであれば、貯留液槽内の水の排水は生じない。
【００３２】
また、大きな地震等の災害によって、貯留液槽が大きく傾いたり、転倒したりした場合、漏洩防止装置は前記したように種々の傾き角度、すなわち、図３〜図７の種々の角度に対しても空気が流通する空間が形成されず、従って、水の漏出は防止されるものである。
【００３３】
なお、前記した実施の形態は、貯留液槽の上部に液体貯留確保装置と漏洩防止装置とを一体化した装置を取付けた場合について説明したが、この一体化した装置を貯留液槽の下部に取付けても前記したと同様な動作がおこなわれる。この場合、供給パイプ３，３′を貯留液槽に接続し、流入パイプ１１ａを水道の元栓側に、流出パイプ２１ａを蛇口に接続する。
【００３４】
図１４に示す第４の実施の形態は、液体貯留確保装置と共に使用する場合の漏洩防止装置の変形例であって、前記した図９、図１０と同一の形状であって、前実施の形態が一方が液体の流通路であり、他方が気体の流通路であるのに対して、この実施の形態は２つの流通路に液体が流れるようにした以外、同じ構成なので、図９、図１０と同一符号は同一部分を示し、作用の説明は省略する。
【００３５】
また、前記した実施例は貯留液槽を水タンクとして応用した場合について説明したが、家庭用水槽、高層ビルにおける高置水槽、受水槽、ビル配管下部等の水系の全てに応用できる外、自動車におけるガソリンタンクの入口、エンジンへのガソリン供給部、タンクローリー車の入排出口等、全ての流体の流出口に取付けできる。
【００３６】
以下、ガソリンタンクの入口側に設置した場合を図１５と共に説明する。
この実施の形態において、３１はガソリンタンク、３２はキャップが取付けられる給油口３２ａとを接続する給油パイプにして、この給油パイプ３２ａとガソリンタンク３１との間に、前記した第１室１１のみからなる液体貯留確保装置と、１つの漏洩防止装置とを一体化した装置を接続したものである。
【００３７】
そして、流入パイプ１１ａを給油パイプ３１側に、接続パイプ２側をガソリンタンク３２側に接続したものである。なお、前記した液体貯留確保装置と漏洩防止装置に付した符号は前記した実施の形態における部品と同じ符号は同一部品を示す。
【００３８】
このように構成したガソリンタンク３１にあっては、ガソリンを給油パイプ３２から注入すると、主バルブ１３が押し上げられ流通路を通って漏洩防止装置の流通路からガソリンタンク３１内に供給され、通常と同じように給油が行える。
【００３９】
そして、自動車が転倒したような場合には、漏洩防止装置によって、前記したと同様な動作によってガソリンタンク３１内のガソリンが給油パイプ３２を介して洩れ出ることがなく、従って、車両火災の発生や、後続車のガソリンによるスリップ事故を防止できる。また、給油パイプ３２のキャップを外してチューブ等でガソリンタンク３１内のガソリンを盗難しようとして、給油パイプ３２内を負圧の状態としても、前記した説明からしてガソリンの吸引が行われることはないものである。
【００４０】
図１５はガソリンタンク３１に接続する装置の他の実施の形態を示し、前実施の形態は漏洩防止装置が液体貯留確保装置の上部に配置されたものであるが、この実施の形態は、漏洩防止装置を液体貯留確保装置の下部に配置すると共に、主バルブ１３を液体に浮く浮力の大きな部材で形成したものである。
【００４１】
このように構成することにより、給油パイプ３２から給油を行うと、該給油におけるガソリンの勢いで主バルブ１３は押し下げられ、遮断壁から離れ流路を形成して、給油が行われる。そして、給油が終了した後は、ガソリンタンク３１内のガソリンが少なくなっても、主バルブ室１１ｅ内にガソリンが残留しているので、主バルブ１３は遮断壁に接した状態を保持する。
【００４２】
従って、車両が転倒しても、あるいは給油パイプ３２に負圧が発生してもガソリンタンク３１内のガソリンが給油パイプ３２から洩れ出ることはない。また、この実施の形態にあっては、図１５の実施の形態よりも給油パイプ３２の開口部とガソリンタンク３１との高低差を取りやすいので、給油を円滑に行うことができる。
【００４３】
【発明の効果】
本発明は前記したように、貯留液槽の開口部に漏洩防止装置を取付け、該貯留液槽が如何なる状態で転倒しても、流体の貯留液槽への供給口と、貯留液槽に接続される接続口との間の流通路が液体によって遮断され空気通路が形成されないので、流体の漏洩が全くないものである。
【００４４】
また、前記漏洩防止装置に、液体の供給が遮断されると弁が閉じる装置を組み込むことにより、貯留液槽が転倒して供給パイプあるいは接続パイプが外れて負圧が生じても、前記弁装置によって液体の流れが防止されて貯留液槽からの流体の漏洩がない等の効果を有するものである。
【図面の簡単な説明】
【図１】本発明に係る貯留液体の漏洩防止装置の一実施の形態を示す斜視図である。
【図２】同上の平面図である。
【図３】転倒した状態の断面平面図である。
【図４】他の転倒した状態の断面平面図である。
【図５】他の転倒した状態の断面平面図である。
【図６】他の転倒した状態の断面平面図である。
【図７】他の転倒した状態の断面平面図である。
【図８】他の実施の形態であるコップに応用した場合の平面図である。
【図９】同上の断面図である。
【図１０】同じくコップに応用した場合の他の実施の形態の平面図である。
【図１１】同上の断面図である。
【図１２】液体貯留確保装置との組み合わせを示す斜視図である。
【図１３】同上の断面図である。
【図１４】他の貯留液体の漏洩防止装置の平面図である。
【図１５】ガソリンタンクに応用した場合の実施の形態を示す説明図である。
【図１６】ガソリンタンクに応用した他の実施の形態を示す説明図である。
【符号の説明】
２      接続パイプ
３      供給パイプ
４      仕切り壁
５，６  迂回壁
【図１】
0003927622.tif 000002
【図２】
0003927622.tif 000003
【図３】
0003927622.tif 000004
【図４】
0003927622.tif 000005
【図５】
0003927622.tif 000006
【図６】
0003927622.tif 000007
【図７】
0003927622.tif 000008
【図８】
0003927622.tif 000009
【図９】
0003927622.tif 000010
【図１０】
0003927622.tif 000011
【図１１】
0003927622.tif 000012
【図１２】
0003927622.tif 000013
【図１３】
0003927622.tif 000014
【図１４】
0003927622.tif 000015
【図１５】
0003927622.tif 000016
【図１６】
0003927622.tif 000017